(57)【要約】      （修正有）【課題】針金の先端部分が露出して使用者等に怪我を負わせることがなくなり、安全に関する心配を取り除くことができる傘ロクロの安全保護構造を提供する。【解決手段】ロクロ１外周に環状凸台１１を設置し、凸台１１外周には環状槽１２、該環状槽１２と通じる縦方向収容槽１３を設置し、凸台１１外周にはさらに先端収容槽１４を設置し、傘骨内端には可動接続孔を設置し、針金は各傘骨の可動接続孔を通過し、各傘骨内端をロクロ１の各収容槽内に設置し、針金両端を噛み合わせて一体に固定し先端を形成し、先端部分を湾曲、屈折後、先端収容槽１４内に収容し、傘ロクロ１上の針金先端片側位置には、１個の挿入孔１５を設置し、ガード片４一端は挿入孔１５と係合して固定する係合柱４１を設置し、反対端は先端収容槽１４を覆って遮蔽し、針金先端を先端収容槽１４内に収容して隠し、針金の先端部分が露出して使用者等に怪我を負わせることがなくなる。【選択図】図２
0003159152.tif 000002
【実用新案登録請求の範囲】
【請求項１】
傘ロクロの安全保護構造は、ロクロ外周に、環状凸台を設置し、
前記凸台外周には、環状槽、及び前記環状槽と通じる若干の縦方向収容槽を設置し、前記凸台外周にはさらに、先端収容槽を設置し、
若干の傘骨内端には、可動接続孔を設置し、針金は、前記各傘骨の可動接続孔を通過し、次に、前記各傘骨内端を、前記ロクロの各収容槽内に設置し、続いて、前記針金両端を噛み合わせて一体に固定し、先端を形成し、前記先端部分を湾曲、屈折後、前記先端収容槽内に収容し、
前記傘ロクロ上の針金先端が位置する片側には、少なくとも１個の挿入孔を設置し、ガード片一端には、前記挿入孔と係合して固定する係合柱を設置し、反対端は、前記先端収容槽を覆って遮蔽し、
こうして、前記針金先端を、前記先端収容槽内に収容し隠すことを特徴とする、傘ロクロの安全保護構造。
【請求項２】
前記ガード片の係合柱外端には、前記係合柱より大きい係合ヘッドを設置し、前記係合ヘッドと前記挿入孔とは、きっちりと対応し、
前記ガード片の反対端には、前記先端収容槽へと湾曲、屈折し、しかも前記先端収容槽上方をも覆い隠すガード部を設置することを特徴とする、請求項１に記載の傘ロクロの安全保護構造。
【考案の詳細な説明】
【技術分野】
【０００１】
本考案は傘具に係り、特に傘ロクロの安全保護構造に関する。
【背景技術】
【０００２】
傘のサポートフレームは、傘中棒、及び若干の親骨と受骨を備える。傘中棒の頂端には、上ロクロを固定し、傘中棒上には、下ロクロをスライド設置する。各親骨内端は、上ロクロ上に可動接続し、各受骨内端は、下ロクロ上に可動接続する。各受骨の外端は、連接部品を通して、相対する親骨中段に可動接続する。
【０００３】
親骨或いは受骨を、上ロクロ或いは下ロクロに可動接続する方式について、図１に示すように、上ロクロ及び下ロクロを「ロクロ」と総称し、親骨及び受骨は、「傘骨」と総称して説明する。ロクロ1の外周には、環状の凸台11を設置する。凸台11外周には、環状槽12、及び若干の環状槽12と通じる縦方向収容槽13を設置する。各傘骨2内端には、可動接続孔（図示なし）を設置し、針金3を各傘骨2の可動接続孔に通す。各傘骨2内端を、ロクロ1の各収容槽13内に設置し、続いて、針金3両端を、工具を用いて、噛み合わせて一体に固定し、先端31を形成する。こうして、各傘骨2内端を、ロクロ1上に固定する。
【０００４】
しかし上記した従来の構造では、針金3の先端31が露出しているため、傘の使用時或いはメンテナンス過程において、使用者或いはメンテナンス者は、針金の鋭利な先端部分により怪我をし易い。これに対して、ロクロ1外周に先端収容槽14を開設し、針金3の先端31を湾曲、屈折後に、その中に収容するタイプの傘もある。この種の構造では、使用者が怪我をする可能性を大きく引き下げることはできるが、針金3先端31はやはり露出しているため、怪我をする危険性は皆無ではない。しかも、上記した構造では、針金3を傘の上ロクロと下ロクロに同時に使用しているため、傘の上、下ロクロ両方に、この安全に関わる問題があり、使用者或いはメンテナンス者が怪我をする状況が出現する恐れがある。
本考案は、従来の傘の構造の上記した欠点に鑑みてなされたものである。
【考案の概要】
【考案が解決しようとする課題】
【０００５】
本考案が解決しようとする課題は、針金先端の露出を防止し、使用者或いはメンテナンス者を傷つける恐れのない傘ロクロの安全保護構造を提供することである。
【課題を解決するための手段】
【０００６】
上記課題を解決するため、本考案は下記の傘ロクロの安全保護構造を提供する。傘ロクロの安全保護構造は、ロクロ外周に、環状凸台を設置し、該凸台外周には、環状槽、及び該環状槽と通じる若干の縦方向収容槽を設置し、該凸台外周にはさらに、先端収容槽を設置し、若干の傘骨内端には、可動接続孔を設置し、針金は、該各傘骨の可動接続孔を通過後、次に、該各傘骨内端を、該ロクロの各収容槽内に設置し、続いて、該針金両端を噛み合わせて一体に固定し、先端を形成し、該先端部分を湾曲、屈折後、該先端収容槽内に収容し、該傘ロクロ上の針金先端片側位置には、少なくとも１個の挿入孔を設置し、ガード片一端には、該挿入孔と係合して固定する係合柱を設置し、反対端は、該先端収容槽を覆って遮蔽し、こうして、該針金先端を、該先端収容槽内に収容し隠し、該ガード片の係合柱外端には、該係合柱より大きい係合ヘッドを設置し、該係合ヘッドと該挿入孔とは、きっちりと対応し、該ガード片の反対端には、該先端収容槽へと湾曲、屈折し、しかも該先端収容槽上方をも覆い隠すガード部を設置し、すなわち本考案は、傘ロクロの外周に、針金の先端を覆い隠すガード片を固定し、該ガード片は簡単な係合方式を採用して、傘ロクロ上に固定することができ、こうして針金の先端部分が露出して、使用者或いはメンテナンス人員を傷つける恐れを払拭し、安全に関する心配を取り除くことができ、該ガード片上にはさらに、該針金先端を収容する先端収容槽片側へと湾曲、屈折するガード部を設置することができ、これにより該先端収容槽の上方をも覆い隠すことができ、こうして針金先端はすべて該先端収容槽と該ガード片との間に隠され、使用における安全性をさらに向上させることができる。
【考案の効果】
【０００７】
本考案傘ロクロの安全保護構造は、傘ロクロの外周に、針金の先端を覆い隠すガード片を固定することで、針金の先端部分が露出して、使用者或いはメンテナンス人員を傷つける恐れを払拭し、安全に関する心配を取り除くことができる。さらに、ガード片上には針金先端を収容する先端収容槽片側へと湾曲、屈折するガード部を設置することができ、これにより針金先端はすべて先端収容槽とガード片との間に隠され、使用における安全性をさらに向上させることができる。
【図面の簡単な説明】
【０００８】
【図１】従来の傘ロクロ構造の模式図である。
【図２】本考案の傘ロクロの立体分解模式図である。
【図３】本考案において、傘ロクロと傘骨を組立て後にガード片を設置する前の状態を示す分解模式図である。
【図４】本考案において、傘ロクロと傘骨を組立て後にガード片を設置した状態を示す模式図である。
【考案を実施するための最良の形態】
【０００９】
以下に図面を参照しながら本考案を実施するための最良の形態について詳細に説明する。
【００１０】
図２〜４に示すように、傘ロクロ1（図２参照）外周には環状凸台11を設置する。凸台11外周には、環状槽12、及び若干の環状槽12と通じる縦方向収容槽13を設置する。凸台11外周にはさらに、先端収容槽14を設置する。
【００１１】
先端収容槽14外側には、ガード片4を固定する。ガード片4は、傘ロクロ1上において簡単な係合方式を採用して固定することができる。ガード片4一端には、少なくとも１個の係合柱41（本実施例では２個）を設置する。係合柱41の外端には、係合柱41より大きい係合ヘッド42を設置する。傘ロクロ1上に位置する先端収容槽14の縦方向の一端には、係合柱41に相対する挿入孔15を設置する。挿入孔15は、少なくとも係合ヘッド42ときっちりと対応し、係合ヘッドを設置しない場合には、挿入孔15は、係合柱41ときっちりと対応する。また、ガード片4反対端にはさらに、先端収容槽14へと湾曲、屈折するガード部43を設置する。
【００１２】
傘骨2内端には、可動接続孔（図示なし）を設置する。針金3は、各傘骨2の可動接続孔を通過後、次に、各傘骨2内端を、傘ロクロ1の各収容槽13内に設置する。続いて、針金3両端を、工具を用いて噛み合わせて一体に固定し、噛み合わせて一体に固定した先端31部分を湾曲、屈折させた後、傘骨2の先端収容槽14内に収容する（図３参照）。
【００１３】
次に、ガード片4の２個の係合柱41を、挿入孔15内に挿入する。係合柱41前端の係合ヘッド42は、挿入孔15ときっちりと対応するため、係合柱41は、挿入孔15内に係合され、離脱することはなく、ガード片4を固定することができる。組立て後のガード片4は、先端収容槽14外側を覆い、針金3の先端31を覆い隠してしまうため、露出して人に怪我をさせることがなくなる。ガード片4のガード部43は、先端収容槽14へと湾曲、屈折するため、先端収容槽14の上方も一緒に覆い隠され、針金先端31は先端収容槽14とガード片4との間に完全に封鎖される。こうして、使用の安全性をさらに向上させることができる。
【００１４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１５】
本考案は実用新案の要件である新規性を備え、従来の同類製品に比べ十分な進歩を有し、実用性が高く、社会のニーズに合致しており、産業上の利用価値は非常に大きい。
【符号の説明】
【００１６】
１      傘ロクロ
１１    環状凸台
１２    環状槽
１３    縦方向収容槽
１４    先端収容槽
１５    挿入孔
２      傘骨
３      針金
３１    先端
４      ガード片
４１    係合柱
４２    係合ヘッド
４３    ガード部
【図１】
0003159152.tif 000003
【図２】
0003159152.tif 000004
【図３】
0003159152.tif 000005
【図４】
0003159152.tif 000006
【手続補正書】
【提出日】平成22年2月26日(2010.2.26)
【手続補正１】
【補正対象書類名】実用新案登録請求の範囲
【補正対象項目名】全文
【補正方法】変更
【補正の内容】
【実用新案登録請求の範囲】
【請求項１】
傘ロクロの安全保護構造は、ロクロ外周に、環状凸台を設置し、
前記凸台外周には、環状槽、及び前記環状槽と通じる若干の縦方向収容槽を設置し、前記凸台外周にはさらに、先端収容槽を設置し、
前記ロクロの各収容槽内には、若干の傘骨内端を設置し、
前記若干の傘骨内端には、可動接続孔を設置し、針金は、前記各傘骨の可動接続孔を通過し、その両端が噛み合わせて一体に固定され、先端を形成するとともに、その先端部分が湾曲、屈折し、前記先端収容槽内に収容され、
前記傘ロクロ上の針金先端が位置する片側には、少なくとも１個の挿入孔を設置し、ガード片一端には、前記挿入孔と係合して固定する係合柱を設置し、反対端は、前記先端収容槽を覆って遮蔽し、
こうして、前記針金先端を、前記先端収容槽内に収容し隠すことを特徴とする、傘ロクロの安全保護構造。
【請求項２】
前記ガード片の係合柱外端には、前記係合柱より大きい係合ヘッドを設置し、前記係合ヘッドと前記挿入孔とは、きっちりと対応し、
前記ガード片の反対端には、前記先端収容槽へと湾曲、屈折し、しかも前記先端収容槽上方をも覆い隠すガード部を設置することを特徴とする、請求項１に記載の傘ロクロの安全保護構造。
【手続補正２】
【補正対象書類名】明細書
【補正対象項目名】０００６
【補正方法】変更
【補正の内容】
【０００６】
上記課題を解決するため、本考案は下記の傘ロクロの安全保護構造を提供する。傘ロクロの安全保護構造は、ロクロ外周に、環状凸台を設置し、該凸台外周には、環状槽、及び該環状槽と通じる若干の縦方向収容槽を設置し、該凸台外周にはさらに、先端収容槽を設置し、前記ロクロの各収容槽内には、若干の傘骨内端を設置し、前記若干の傘骨内端には、可動接続孔を設置し、針金は、前記各傘骨の可動接続孔を通過し、その両端が噛み合わせて一体に固定され、先端を形成するとともに、その先端部分が湾曲、屈折し、前記先端収容槽内に収容され、該傘ロクロ上の針金先端片側位置には、少なくとも１個の挿入孔を設置し、ガード片一端には、該挿入孔と係合して固定する係合柱を設置し、反対端は、該先端収容槽を覆って遮蔽し、こうして、該針金先端を、該先端収容槽内に収容し隠し、該ガード片の係合柱外端には、該係合柱より大きい係合ヘッドを設置し、該係合ヘッドと該挿入孔とは、きっちりと対応し、該ガード片の反対端には、該先端収容槽へと湾曲、屈折し、しかも該先端収容槽上方をも覆い隠すガード部を設置する。すなわち本考案は、傘ロクロの外周に、針金の先端を覆い隠すガード片を固定し、該ガード片は簡単な係合方式を採用して、傘ロクロ上に固定することができ、こうして針金の先端部分が露出して、使用者或いはメンテナンス人員を傷つける恐れを払拭し、安全に関する心配を取り除くことができ、該ガード片上にはさらに、該針金先端を収容する先端収容槽片側へと湾曲、屈折するガード部を設置することができ、これにより該先端収容槽の上方をも覆い隠すことができ、こうして針金先端はすべて該先端収容槽と該ガード片との間に隠され、使用における安全性をさらに向上させることができる。